(57)【要約】【課題】  商品販売以外に鏡などをつけて集客する自動販売機の提案。【解決手段】１  アクリルスポンジの如く粘着剥離を繰り返すスポンジを表示部に貼った自動販売機とする。２  アクリルスポンジの如く粘着剥離を繰り返すスポンジと共に鏡、人形、造花、ポスター、箱などを表示部に貼った自動販売機とする。３  顧客に顧客の顔を鏡に写せるサービスを提供する鏡付き自動販売機とする。【選択図】  図１
2006065826.tif 000002
【特許請求の範囲】
【請求項１】
アクリルスポンジの如く粘着剥離を繰り返すスポンジを表示部に貼ったことを特徴とすると自動販売機。
【請求項２】
アクリルスポンジの如く粘着剥離を繰り返すスポンジと共に鏡、人形、造花、ポスター、箱などを表示部に貼ったことを特徴とすると自動販売機。
【請求項３】
顧客に顧客の顔を鏡に写せるサービスを提供し集客することを特徴とする鏡付き自動販売機。
【発明の詳細な説明】
【技術分野】
【０００１】  本発明は自動販売機に関する。詳しくは商品販売以外に鏡などをつけて顧客に商品販売以外のサービスを提供し集客する表示部を持つ自動販売機に関する。
【背景技術】
【０００２】  自動販売機で展示商品や広告を引き立たせ宣伝効果を発揮させる工夫は各種成されている。販売促進効果を高めるに立体画像表示表示装飾自動販売機もある。音声機能取り入れて消費者に呼びかけやお礼言葉を発する自動販売機もある。天気予報、データ通信などの機能付きも検討されている。
従来の自動販売機の表示部は商品の販売や広告宣伝があったが顧客に無料サービスし集客する考えは乏しい。顧客が自分の顔を見られるようなサービスの提供はない。【０００３】  近年、粘着成分で発泡したシートが登場した。いわゆる自己粘着シートである。粘着剤そのものを発泡させ粘着剥離を繰り返せるスポンジシートとする。【０００４】  自己粘着スポンジはアクリルスポンジが代表的なものである。粘着保持できるので壁面にテッシュ取付や、メモ貼りなどに利用する。油取り紙の束から１枚１枚取るときの取り具にもなる。アクリルスポンジは挟みで切り取りができる。紙やビニルなどに何回も貼ったり剥がせたりできる。吸盤の代用として自動車のアルミシート日除けを硝子に貼るのにも利用できる。ナンバープレ−トと同じ寸法のものを本発明者は駐車中などのナンバープレ−ト隠しとして開発した。テッシュボックスを壁面に貼る用具やなど多くの用途が見いだされる。テッシュボックスは約２５０グラムあり、テッシュボックサイズの面積でこの重量を粘着しテッシュを取り出せる。スポンジは何回も粘着剥離を繰り返せるのでテッシュボックスが空になれば交換すればよい。
【特許文献１】  特許公開２００３−３３０３９５  表示パネル
【特許文献２】  特許公開２００１−３１８６０５  自動販売機のダミー体用商品表示ラベル
【特許文献３】  特許公開２００１−３１８６０５  自動販売機のダミー体用商品表示ラベル
【特許文献４】  特許公開２００１−２９６５００  立体画像表示自動販売機
【特許文献５】  特許公開２００４−２１３２０３  広告表示体
【特許文献６】  実用新案公開平５−３０９８２    自動販売機の商品展示室装置
【特許文献６】  特許公開２００４−２７１２３  貼付用シート状発泡体およびその製造方法
【発明の開示】
【発明が解決しようとする課題】
【０００５】  商品販売以外に鏡をつけて顧客が自分の顔を見ることのできるサービスがある自動販売機を提供する。商品構成が変化し表示部余白の変化に対応し鏡サイズなどを交換できる自動販売機を提供する。
また造花や人形などの立体物を貼れる機能付きの自動販売機の表示部を提供する。
【課題を解決するための手段】
【０００６】  上記の課題を解決するためにアクリルスポンジの如く粘着剥離を繰り返すスポンジを表示部に貼って利用すればよい。本発明の構成は下記のようになる。
１  アクリルスポンジの如く粘着剥離を繰り返すスポンジを表示部に貼った自動販売機。
２  アクリルスポンジの如く粘着剥離を繰り返すスポンジと共に鏡、人形、造花、ポスター、箱などを表示部に貼った自動販売機。
３  顧客に顧客の顔を鏡に写せるサービスを提供する鏡付き自動販売機。
【発明の効果】
【０００７】
【０００８】  粘着剥離が自由なスポンジが自動販売機の表示部に貼ってあるので鏡などの取付取り外しを繰り返せる。
アクリルスポンジの如く粘着剥離を繰り返すスポンジが自動販売機の表示部にあるので鏡、人形、造花、ポスター、箱などを表示部に押しつけて貼ることが容易である。不要になればスポンジ毎、外せばよい。スポンジをカットして貼り合わせ補修もできる。【０００９】  粘着しても容易に剥離するので接着剤やボルトなどのように固定されない。スポンジはクッション効果があり貼りやすい。自動販売機の表示部余白に合わせたサイズの鏡を貼れる。【００１０】  スポンジを自動販売機の表示部に貼ってその上から鏡を貼ってもよく、鏡とスポンジを粘着剤で固着したものを貼ってもよい。
鏡以外の人形、造花、ポスター、箱なども自由に貼ったり剥がせるので自動販売機の表示部装飾が工夫できる。【００１１】  請求項３に記載の効果としては、顧客の顔を鏡に写せるサービスを提供し集客する自動販売機を提供できる。集客効果により売上を促進する。請求項３に記載の発明はアクリルスポンジ利用にこだわらない。図３に示す自動販売機にすればよく、この際は鏡をボルトや接着剤で固定化してもよい。
【発明を実施するとめの最良の形態】
【００１２】  ０・５〜５ミリ厚さのアクリルスポンジがよい。粘着テープを利用して目的物を貼るのがよい。スポンジは何枚かを組み合わせるて利用が貼りやすく交換も簡単である。
人形や造花などはクリップを利用してアクリルスポンジに付けてもよい。
【実施例】
【００１３】  以下、本発明の実施例を図面を用いて説明する。図１のようにアクリルスポンジに鏡を貼ればよい。鏡のうらが艶面ならそのままアクリルスポンジを押しつければ一体化する。しかし、粘着テープや接着剤を利用して貼るのが安定する。アクリルスポンジにゼムクリップ部や筒部を設け装飾品を付けてることもできる。
【実施例１】
【００１４】  図１と図２は実施例１の各正面図である。符号の１はアクリルスポンジ、２は鏡体、３は鏡面部、４は枠部、５は本発明に係わる鏡、６は自動販売機、７は商品サンプル、８はコイン投入口９は取り出し口である。
図１に示すようにアクリルスポンジ１に両面テープ付きの鏡体２を押しつけ固着し本発明に係わる鏡５を得る。アクリルスポンジ１は鏡体２より小さくても大きくてもよい。図２は自動販売機６を示す。商品表示部の余白に本発明に係わる鏡５を貼る。
【実施例２】
【００１５】  図３に示すように鏡サービス部１０を別に設けてもよい。透明樹脂で覆った空間に本発明に係わる鏡５を収納する。アクリルスポンジを大きめにすれば余り部に造花や人形、写真や印刷物など直接またはクリップを介して粘着剥離ができる。
【産業上の利用可能性】
【００１６】  本発明は産業上利用できる。スポンジごと鏡を粘着剥離するので自動販売機以外に店舗ののコーナでも利用できる。
【図面の簡単な説明】
【００１７】
【図１】・・正面図（実施例１）
【図２】・・正面図（実施例１）
【図３】・・正面図（実施例２）
【符号の説明】
【００１８】  １・・アクリルスポンジ
２・・鏡体
３・・鏡面部
４・・枠部
５・・本発明に係わる鏡
６・・自動販売機
７・・商品サンプル
８・・コイン投入口
９・・取り出し口
１０・・鏡サービス部
【図１】
2006065826.tif 000003
【図２】
2006065826.tif 000004
【図３】
2006065826.tif 000005